(57)【要約】      （修正有）【課題】ワイヤレス通信システムのためのトランスポートブロック(TB)セグメンテーション及びシグナリングを提供する。【解決手段】プロセスフロー２００において、トランスポートブロックのオーバーヘッドチャネル用のトーンの基準個数を識別し２０５、オーバーヘッドチャネル用のトーンの基準個数に基づいて、トランスポートブロックをコードブロックにセグメンテーションする２１０。コードブロックインジケータ又はトーンの基準個数は、制御チャネル上で送信される。また、トランスポートブロックのコードブロックに関連付けられたコードブロックサイズインジケータ送信し２２０、コードブロックサイズインジケータに基づいてコードブロックを復号し、復号したコードブロックに基づいてトランスポートブロックを組み立てる２３５。コードブロックサイズインジケータは、制御チャネルを使用して受信する。【選択図】図２
2020039149.tif 000002
【特許請求の範囲】
【請求項１】
ワイヤレス通信のための方法であって、
トランスポートブロックのオーバーヘッドチャネル用のトーンの基準個数を識別するステップと、
前記オーバーヘッドチャネル用のトーンの前記基準個数に少なくとも部分的に基づいて、前記トランスポートブロックをコードブロックにセグメンテーションするステップとを含む方法。
【発明の詳細な説明】
【技術分野】
【０００１】
相互参照
本特許出願は、本出願の譲受人に各々が譲渡される、2016年6月10日に出願した、「Transport Block Segmentation and Signaling」と題する、Luoらによる米国特許出願第15/178,957号、ならびに2015年11月3日に出願した、「Transport Block Segmentation and Signaling」と題する、Luoらによる米国仮特許出願第62/250,420号および2015年12月1日に出願した、「Transport Block Segmentation and Signaling」と題する、Luoらによる米国仮特許出願第62/261,820号に対する優先権を主張する。
【０００２】
以下は、一般に、ワイヤレス通信に関し、より詳細には、トランスポートブロック(TB)セグメンテーションおよびシグナリングに関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、電力など)を共有することによって複数のユーザとの通信をサポートすることが可能であり得る。そのような多元接続システムの例としては、符号分割多元接続(CDMA)システム、時分割多元接続(TDMA)システム、周波数分割多元接続(FDMA)システム、および直交周波数分割多元接続(OFDMA)システムが含まれる。ワイヤレス多元接続通信システムは、場合によってはユーザ機器(UE)として知られていることがある、複数の通信デバイスのための通信を各々が一斉にサポートする、いくつかの基地局を含み得る。
【０００４】
いくつかの展開では、UEおよび基地局は、送信されたデータの受信および復号に成功するために、TB中でのデータの再送信に依拠し得る。たとえば、UEは、肯定応答(ACK)または否定応答(NACK)信号などのフィードバックを生成することができ、フィードバックは、TBの受信および復号が成功したかどうかを示すために、基地局などの送信デバイスへ送信されてよく、このことが、送信デバイスに、(たとえば、NACKフィードバックのケースでは)TBを再送信するよう促し得る。いくつかのケースでは、TBは、UEまたは基地局によって送信されるいくつかのコードブロック(CB)を含み得る。TB内のCBサイズは、特に、TBのサイズ、コーディングレート、変調次数、またはインターリーバ特性など、いくつかの要因によって決定され得る。
【発明の概要】
【課題を解決するための手段】
【０００５】
本開示は、たとえば、ワイヤレス通信システムにおけるトランスポートブロック(TB)セグメンテーションおよびシグナリングのための技法に関する。本開示の様々な態様は、1つまたは複数のコードブロック(CB)へのTBのセグメンテーションを提供する。TBがセグメンテーションされるCBの数は、オーバーヘッドチャネルのトーンの基準個数に基づいて決定され得る。たとえば、オーバーヘッドチャネルが、TBの再送信中にサブフレーム中で1つまたは複数のリソースブロック(RB)を割り振られる場合、TBは、オーバーヘッドチャネル用に割り振られたRBの数に基づいて、1つまたは複数のCBにセグメンテーションされ得る。いくつかの例では、オーバーヘッドチャネルのトーンの基準個数に少なくとも部分的に基づいて、TBの再送信用にCBの数が決定され得る。
【０００６】
TBが1つまたは複数のCBにセグメンテーションされる例において、1つまたは複数のCBは、送信デバイスから受信デバイスへ送信され得る。いくつかの例では、CBサイズインジケータまたはトーンの基準個数は、任意選択で、受信デバイスへ送信され得る。CBサイズインジケータまたはトーンの基準個数は、受信デバイスにおいて受信された1つまたは複数のCBを復号するのに使用され得る。いくつかの例において、TBは、CBサイズインジケータまたはトーンの基準個数に少なくとも部分的に基づいて組み立てられ得る。
【０００７】
ワイヤレス通信の方法について説明する。方法は、TBのオーバーヘッドチャネル用のトーンの基準個数を識別するステップと、オーバーヘッドチャネル用のトーンの基準個数に少なくとも部分的に基づいて、TBをCBにセグメンテーションするステップとを含み得る。
【０００８】
ワイヤレス通信のための装置について説明する。装置は、TBのオーバーヘッドチャネル用のトーンの基準個数を識別するための手段と、オーバーヘッドチャネル用のトーンの基準個数に少なくとも部分的に基づいて、TBをCBにセグメンテーションするための手段とを含み得る。
【０００９】
ワイヤレス通信のためのさらなる装置について説明する。装置は、プロセッサと、プロセッサと電子通信しているメモリと、メモリに記憶された命令とを含み得る。命令は、プロセッサに、TBのオーバーヘッドチャネル用のトーンの基準個数を識別させ、オーバーヘッドチャネル用のトーンの基準個数に少なくとも部分的に基づいて、TBをCBにセグメンテーションさせるように動作可能であり得る。
【００１０】
ワイヤレス通信のための非一時的コンピュータ可読媒体について説明する。非一時的コンピュータ可読媒体は、プロセッサに、TBのオーバーヘッドチャネル用のトーンの基準個数を識別させ、オーバーヘッドチャネル用のトーンの基準個数に少なくとも部分的に基づいて、TBをCBにセグメンテーションさせるように動作可能な命令を含み得る。
【００１１】
上述した方法、装置、または非一時的コンピュータ可読媒体のいくつかの例は、制御チャネル上で、CBサイズインジケータまたはトーンの基準個数を送信するためのプロセス、特徴、手段、または命令をさらに含み得る。
【００１２】
上述した方法、装置、または非一時的コンピュータ可読媒体のいくつかの例は、オーバーヘッドチャネルに関連付けられたトーンの実際の数を決定するためのプロセス、特徴、手段、または命令をさらに含むことができ、TBをCBにセグメンテーションすることは、トーンの実際の数にさらに少なくとも部分的に基づく。
【００１３】
上述した方法、装置、または非一時的コンピュータ可読媒体のいくつかの例では、オーバーヘッドチャネル用のトーンの基準個数を識別することは、オーバーヘッドチャネルに関連付けられた通信リンク方向に少なくとも部分的に基づく。いくつかの例では、通信リンク方向は、アップリンク、ダウンリンク、またはサイドリンクを含む。
【００１４】
上述した方法、装置、または非一時的コンピュータ可読媒体のいくつかの例では、オーバーヘッドチャネル用のトーンの基準個数は、TBのデータ領域中の制御チャネル、同期チャネル、またはチャネル状態情報基準信号(CSI-RS)のうちの1つまたは複数に少なくとも部分的に基づく。
【００１５】
上述した方法、装置、または非一時的コンピュータ可読媒体のいくつかの例では、オーバーヘッドチャネル用のトーンの基準個数は、オーバーヘッドチャネルに関連付けられたトーンの最大数、トーンの最小数、またはトーンのメジアン数のうちの1つまたは複数に少なくとも部分的に基づく。
【００１６】
上述した方法、装置、または非一時的コンピュータ可読媒体のいくつかの例は、TBに関連付けられたCBの数およびCB用の情報ビットの数に少なくとも部分的に基づいて、TB用の情報ビットの数を決定するためのプロセス、特徴、手段、または命令をさらに含み得る。
【００１７】
上述した方法、装置、または非一時的コンピュータ可読媒体のいくつかの例は、CBサイズおよびコードレートに少なくとも部分的に基づいて、CB用の情報ビットの数を決定するためのプロセス、特徴、手段、または命令をさらに含み得る。
【００１８】
上述した方法、装置、または非一時的コンピュータ可読媒体のいくつかの例は、TB用に割り振られたRBの数およびオーバーヘッドチャネル用のトーンの基準個数に少なくとも部分的に基づいて、TBに関連付けられたCBの数を決定するためのプロセス、特徴、手段、または命令をさらに含み得る。
【００１９】
上述した方法、装置、または非一時的コンピュータ可読媒体のいくつかの例は、オーバーヘッドチャネルに関連付けられたトーンの実際の数に少なくとも部分的に基づいて、TB用のパッドビットの数を決定するためのプロセス、特徴、手段、または命令をさらに含み得る。
【００２０】
上述した方法、装置、または非一時的コンピュータ可読媒体のいくつかの例は、オーバーヘッドチャネルに関連付けられたトーンの実際の数に少なくとも部分的に基づいて、CB用のパンクチャリングされるビットの数を決定するためのプロセス、特徴、手段、または命令をさらに含み得る。
【００２１】
上述した方法、装置、または非一時的コンピュータ可読媒体のいくつかの例は、CBに関連付けられた複数のトーンバンドルを識別するためのプロセス、特徴、手段、または命令をさらに含み得る。上述した方法、装置、または非一時的コンピュータ可読媒体のいくつかの例は、CB用のパンクチャリングされるビットの数に少なくとも部分的に基づいて、インターリーバ行列を決定するためのプロセス、特徴、手段、または命令をさらに含み得る。上述した方法、装置、または非一時的コンピュータ可読媒体のいくつかの例は、インターリーバ行列に従って複数のトーンバンドルをインターリーブするためのプロセス、特徴、手段、または命令をさらに含み得る。
【００２２】
上述した方法、装置、または非一時的コンピュータ可読媒体のいくつかの例は、オーバーヘッドチャネル用のトーンの基準個数に少なくとも部分的に基づいて、インターリーバ行列を決定するためのプロセス、特徴、手段、または命令をさらに含み得る。上述した方法、装置、または非一時的コンピュータ可読媒体のいくつかの例は、インターリーバ行列に従ってCBの複数のトーンをインターリーブするためのプロセス、特徴、手段、または命令をさらに含み得る。
【００２３】
上述した方法、装置、または非一時的コンピュータ可読媒体のいくつかの例では、複数のトーンをインターリーブすることは、第1の順序に従って、複数のトーンをインターリーバ行列の要素に書き込むことを含む。上述した方法、装置、または非一時的コンピュータ可読媒体のいくつかの例は、第2の順序に従って、インターリーバ行列の要素を読み取るためのプロセス、特徴、手段、または命令をさらに含み得る。
【００２４】
ワイヤレス通信の方法について説明する。方法は、TBのCBに関連付けられたCBサイズインジケータを受信するステップと、CBサイズインジケータに少なくとも部分的に基づいてCBを復号するステップと、復号CBに少なくとも部分的に基づいてTBを組み立てるステップとを含み得る。
【００２５】
ワイヤレス通信のための装置について説明する。装置は、TBのCBに関連付けられたCBサイズインジケータを受信するための手段と、CBサイズインジケータに少なくとも部分的に基づいてCBを復号するための手段と、復号CBに少なくとも部分的に基づいてTBを組み立てるための手段とを含み得る。
【００２６】
ワイヤレス通信のためのさらなる装置について説明する。装置は、プロセッサと、プロセッサと電子通信しているメモリと、メモリに記憶された命令とを含み得る。命令は、プロセッサに、TBのCBに関連付けられたCBサイズインジケータを受信させ、CBサイズインジケータに少なくとも部分的に基づいてCBを復号させ、復号CBに少なくとも部分的に基づいてTBを組み立てさせるように動作可能であり得る。
【００２７】
ワイヤレス通信のための非一時的コンピュータ可読媒体について説明する。非一時的コンピュータ可読媒体は、プロセッサに、TBのCBに関連付けられたCBサイズインジケータを受信させ、CBサイズインジケータに少なくとも部分的に基づいてCBを復号させ、復号CBに少なくとも部分的に基づいてTBを組み立てさせるように動作可能な命令を含み得る。
【００２８】
上述した方法、装置、または非一時的コンピュータ可読媒体のいくつかの例は、制御チャネルを使用してCBサイズインジケータを受信するためのプロセス、特徴、手段、または命令をさらに含み得る。
【００２９】
上述した方法、装置、または非一時的コンピュータ可読媒体のいくつかの例では、CBサイズインジケータは、TBのオーバーヘッドチャネルに関連付けられたトーンの基準個数に少なくとも部分的に基づく。
【００３０】
上述した方法、装置、または非一時的コンピュータ可読媒体のいくつかの例は、制御チャネルを使用してトーンの基準個数を受信するためのプロセス、特徴、手段、または命令をさらに含み得る。
【００３１】
上述した方法、装置、または非一時的コンピュータ可読媒体のいくつかの例では、トーンの基準個数は、TBのデータ領域中の制御チャネル、同期チャネル、またはCSI-RSのうちの1つまたは複数に少なくとも部分的に基づく。
【００３２】
上述した方法、装置、または非一時的コンピュータ可読媒体のいくつかの例では、トーンの基準個数は、オーバーヘッドチャネルに関連付けられたトーンの最大数、トーンの最小数、またはトーンのメジアン数のうちの1つまたは複数に少なくとも部分的に基づく。
【００３３】
上述した方法、装置、または非一時的コンピュータ可読媒体のいくつかの例では、CBサイズインジケータは、TBに関連付けられたオーバーヘッドチャネル用のトーンの実際の数に少なくとも部分的に基づく。
【００３４】
上述した方法、装置、または非一時的コンピュータ可読媒体のいくつかの例では、CBを復号することは、CBサイズインジケータに少なくとも部分的に基づいてデインターリーバ行列を決定することを含む。上述した方法、装置、または非一時的コンピュータ可読媒体のいくつかの例は、デインターリーバ行列に従ってCBをデインターリーブするためのプロセス、特徴、手段、または命令をさらに含み得る。上述した方法、装置、または非一時的コンピュータ可読媒体のいくつかの例は、デインターリーブされたCBを復号するためのプロセス、特徴、手段、または命令をさらに含み得る。
【００３５】
上述した方法、装置、または非一時的コンピュータ可読媒体のいくつかの例では、デインターリーバ行列に従ってCBをデインターリーブすることは、第1の順序に従って、CBの複数のトーンをデインターリーバ行列の要素に書き込むことを含む。上述した方法、装置、または非一時的コンピュータ可読媒体のいくつかの例は、第2の順序に従って、デインターリーバ行列の要素を読み取るためのプロセス、特徴、手段、または命令をさらに含み得る。
【００３６】
上記では、以下の発明を実施するための形態がよりよく理解され得るように、本開示による例の特徴および技術的利点がかなり広く概説された。以下で、追加の特徴および利点について説明する。開示する概念および具体例は、本開示の同じ目的を実施するための他の構造を変更または設計するための基礎として容易に利用され得る。そのような等価な構成は、添付の特許請求の範囲から逸脱しない。本明細書で開示する概念、それらの構成および動作方法の両方、および関連する利点の特徴は、添付の図面に関連して考慮されるとき、以下の説明からよりよく理解されるであろう。図の各々は、例示および説明の目的でのみ与えられるものであり、特許請求の範囲の制限の定義として与えられるものではない。
【図面の簡単な説明】
【００３７】
【図１】本開示の態様による、トランスポートブロック(TB)セグメンテーションおよびシグナリングをサポートするワイヤレス通信システムの例を示す図である。
【図２】本開示の態様による、ワイヤレス通信システムのためのTBセグメンテーションおよびシグナリングをサポートするプロセスフローの例を示す図である。
【図３Ａ】本開示の態様によるTBセグメンテーションおよびシグナリングの例を示す図である。
【図３Ｂ】本開示の態様によるTBセグメンテーションおよびシグナリングの例を示す図である。
【図４】本開示の態様による、TBセグメンテーションおよびシグナリングをサポートするワイヤレス通信のための方法のフローチャートである。
【図５Ａ】本開示の態様によるインターリービングプロセスを示す図である。
【図５Ｂ】本開示の態様によるインターリービングプロセスを示す図である。
【図６Ａ】本開示の態様によるデインターリービングプロセスを示す図である。
【図６Ｂ】本開示の態様によるデインターリービングプロセスを示す図である。
【図７】本開示の態様による、TBセグメンテーションおよびシグナリングをサポートするワイヤレスデバイスのブロック図である。
【図８】本開示の態様による、TBセグメンテーションおよびシグナリングをサポートするワイヤレスデバイスのブロック図である。
【図９】本開示の態様による、TBセグメンテーションおよびシグナリングをサポートするワイヤレスデバイスのブロック図である。
【図１０】本開示の態様による、TBセグメンテーションおよびシグナリングをサポートするUEを含むシステムのブロック図である。
【図１１】本開示の態様による、TBセグメンテーションおよびシグナリングをサポートする基地局を含むシステムのブロック図である。
【図１２】本開示の態様による、TBセグメンテーションおよびシグナリングのための方法を示す図である。
【図１３】本開示の態様による、TBセグメンテーションおよびシグナリングのための方法を示す図である。
【図１４】本開示の態様による、TBセグメンテーションおよびシグナリングのための方法を示す図である。
【図１５】本開示の態様による、TBセグメンテーションおよびシグナリングのための方法を示す図である。
【図１６】本開示の態様による、インターリービングおよびデインターリービングをサポートするデバイスのブロック図である。
【図１７】本開示の態様による、インターリービングおよびデインターリービングの方法を示す図である。
【図１８】本開示の態様による、インターリービングおよびデインターリービングの方法を示す図である。
【発明を実施するための形態】
【００３８】
ワイヤレス通信システムにおけるトランスポートブロック(TB)セグメンテーションおよびシグナリングのための技法について説明する。上述したように、ワイヤレス通信システムにおいて、TBは、1つまたは複数のコードブロック(CB)にセグメンテーションされ、送信デバイスから受信デバイスへ送信され得る。TB送信または受信失敗のケースでは、ハイブリッド自動再送要求(HARQ)などの再送信手順が実施され得る。再送信手順中、受信デバイスは、TBが受信され、復号に成功したかどうかを示すために、肯定応答(ACK)または否定ACK(NACK)信号などのフィードバック信号を送信デバイスへ送信することができる。送信デバイスが、受信デバイスからNACKを受信した場合、送信デバイスは、第2の送信中で初期TBを再送信すればよい。いくつかの例において、受信デバイスは、(復号に失敗した場合でも)初期TBを記憶してよく、再送信されたTBを受信すると、TBの復号に成功するように、初期TBと再送信されたTBを組み合わせてよい。
【００３９】
いくつかのワイヤレス通信システムでは、送信フレームサイズは固定され、他のワイヤレス通信システムでは、送信フレームサイズは、他の要因の中でも、所与の送信用に要求される帯域幅または利用可能なリソースに依存して変わり得る。ロングタームエボリューション(LTE)またはLTEアドバンスト(LTE-A)通信システムでは、たとえば、送信フレームサイズは10msに固定される。したがって、送信フレームサイズを増大することによって送信帯域幅を増大することはできない。そのようなシステムでは、固定送信フレームサイズを効率的に利用するために、TBは、送信フレーム内で、1つまたは複数のCBにセグメンテーションされ、リソースにマップされ得る。
【００４０】
本開示のいくつかの態様によると、TBサイズとも呼ばれ得る、TB中のビットの数が、受信デバイスが復号することが可能な符号化ビットの数よりも大きい場合、TBは、受信デバイスへ送信されるように、1つまたは複数のCBにセグメンテーションされ得る。さらに、再送信手順中、初期TBと再送信されたTBを組み合わせるために、CBサイズ、CBの数、または変調およびコーディング方式(MCS)は、TBの初期送信とTBの再送信の両方において同じである必要があり得る。
【００４１】
TBサイズは、たとえば、利用可能リソース(たとえば、リソースブロック(RB))、送信時間間隔(TTI)の数、空間多重化ランク、送信用のMCS(たとえば、変調次数およびコーディングレートを示す)、ならびに制御チャネルおよび/またはオーバーヘッドチャネルに割り振られたトーンの数に少なくとも部分的に基づいて決定され得る。そのような情報を使用して、(たとえば、RB中の利用可能リソース要素(RE)をカウントすることによって)利用可能変調シンボルの数を決定することができ、(たとえば、MCSによって含意される変調次数を増すことによって)利用可能符号化ビットの数を決定することができ、(たとえば、MCSによって含意されるデータレートを使用することによって)送信用の利用可能情報ビットの数を決定することができ、(たとえば、TBサイズおよび利用可能なRBの数を使用することによって)CBサイズおよびCBの数を決定することができる。
【００４２】
本明細書で説明するように、1つまたは複数のトーンは、RBの1つもしくは複数のREまたは1つもしくは複数のRBを指し得る。たとえば、1つまたは複数のトーンは、データの送信に利用可能であってよく、1つまたは複数の他のトーンは、制御情報の送信に利用可能であってよい。いくつかの例では、1つまたは複数のトーンは、RBのREすべて、複数のRBを指すことができ、または複数のRBからのいくつかのREを含み得る。
【００４３】
受信デバイスからのACK/NACKフィードバックの受信が即座には起こらないとき、TBの再送信は、初期TBが送信されたサブフレーム(第1のサブフレーム)の後のサブフレーム(第2のサブフレーム)中で実施され得る。いくつかのケースでは、第1のサブフレーム中で制御チャネルおよび/またはオーバーヘッドチャネル用に割り振られたトーンの数は、第2のサブフレーム中で制御チャネルおよび/またはオーバーヘッドチャネル用に割り振られたトーンの数とは異なり得る。したがって、CBの決定された数、決定されたCBサイズ、MCS、および/または利用可能リソースは、第1および第2のサブフレームの間で異なり得る。ただし、CBの数、CBサイズ、CBごとの情報ビットの数、およびMCSは、初期TBと再送信されたTBの組合せに成功するために、第1のサブフレームと第2のサブフレームとの間で同じままである必要があり得る。
【００４４】
いくつかの例では、データ送信に利用可能なトーンの数は、各送信における、固定フレームおよびサブフレームサイズ、ならびに制御チャネルおよび/またはオーバーヘッドチャネル用に割り振られた、トーンの変化する数により、各送信用に変わる。したがって、オーバーヘッドチャネルに割り振られたトーンの基準個数に基づいて、TBのセグメンテーションのための、CBの数およびCBサイズを正確に決定すると、再送信技法を高めることができる。いくつかの例において、トーンの基準個数は、TBのセグメンテーションを決定するのに使用されるトーンの数を指し得る。トーンの基準個数は、トーンの実際の数に基づいて決定され得るが、トーンの基準個数は、所与のサブフレーム中でのトーンの実際の数でなくてよい。いくつかの例では、トーンの基準個数は、RBの1つまたは複数のREを使用して、送信され、または送信されるようにスケジュールされるトーンの最大、最小、中位、平均、または推定数であってよい。いくつかの態様において、トーンの基準個数は、オーバーヘッドチャネルに基づいて、使用可能トーンが削減される過度のパンクチャ化を回避するように決定され得る。
【００４５】
TBを(符号化または復号のために)シグナリングするために使用される情報ビットの数を最小限にするために、MCSインデックス(変調次数およびコード)レートならびにレイヤの数またはランクが使用され得る。MCSインデックスおよび/またはレイヤの数は、物理ダウンリンク制御チャネル(PDCCH)などの制御チャネル中で搬送され得る。さらに、TBを(符号化または復号のために)シグナリングするための情報ビットの数を最小限にするために、CBサイズおよびTBサイズも使用され得る。CBサイズは、たとえば、PDCCH中でシグナリングすることができ、TBサイズは、割り振られたRBの数およびMCSインデックスに基づいて決定することができる。
【００４６】
本開示の態様について、初めにワイヤレス通信システムのコンテキストにおいて説明する。本開示の態様はまた、プロセスフロー、TBセグメンテーションの例、およびフローチャートのコンテキストによって示され、そのコンテキストにおいて記載され、それらの各々は、TBセグメンテーションおよびシグナリングをサポートする。本開示の態様を、TBセグメンテーションおよびシグナリングに関係する装置の図、システムの図、およびフローチャートによってさらに例示し、かつそれらの図を参照して説明する。
【００４７】
図1は、本開示の様々な態様による、ワイヤレス通信システム100の例を示す。ワイヤレス通信システム100は、基地局105、UE115、およびコアネットワーク130を含む。いくつかの例では、ワイヤレス通信システム100は、LTEまたはLTE-Aネットワークをサポートし得る。ワイヤレス通信システム100は、TBセグメンテーションおよびシグナリングと、特に、1つまたは複数のCBへのTBのセグメンテーションとをサポートし得る。TBがセグメンテーションされるCBの数は、オーバーヘッドチャネルのトーンの基準個数に基づいて決定され得る。TBが1つまたは複数のCBにセグメンテーションされる例において、1つまたは複数のCBは、送信デバイスから受信デバイスへ送信され得る。送信デバイスは基地局105またはUE115であってよく、受信デバイスは基地局105またはUE115であってよい。たとえば、通信リンク方向がアップリンクである場合、送信デバイスはUE115であってよく、受信デバイスは基地局105であってよい。通信リンク方向がダウンリンクである例では、送信デバイスは基地局105であってよく、受信デバイスはUE115であってよい。いくつかの例では、通信リンク方向はサイドリンク(たとえば、デバイス間通信リンク)であってよく、ここで、送信デバイスは第1のUE115であり、受信デバイスは第2のUE115である。
【００４８】
いくつかの例では、CBサイズインジケータまたはトーンの基準個数は、任意選択で、受信デバイスへ送信され得る。CBサイズインジケータまたはトーンの基準個数は、受信デバイスにおいて受信された1つまたは複数のCBを復号するのに使用され得る。いくつかの例において、TBは、CBサイズインジケータまたはトーンの基準個数に少なくとも部分的に基づいて組み立てられ得る。
【００４９】
基地局105は、1つまたは複数の基地局アンテナを介してUE115とワイヤレス通信し得る。各基地局105は、それぞれの地理的カバレージエリア110に通信カバレージを与え得る。ワイヤレス通信システム100に示される通信リンク125は、UE115から基地局105へのアップリンク送信、基地局105からUE115へのダウンリンク送信、またはUE115から別のUE115へのサイドリンク送信を含み得る。UE115は、ワイヤレス通信システム100全体にわたって分散されてよく、各UE115は固定または移動であり得る。UE115は、移動局、加入者局、リモートユニット、ワイヤレスデバイス、アクセス端末(AT)、ハンドセット、ユーザエージェント、クライアントと呼ばれ、または同様の用語で呼ばれる場合もある。UE115は、セルラーフォン、ワイヤレスモデム、ハンドヘルドデバイス、パーソナルコンピュータ、タブレット、パーソナル電子デバイス、マシンタイプ通信(MTC)デバイスなどであってもよい。
【００５０】
基地局105は、コアネットワーク130および互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)互いと通信し得る。基地局105は、UE115との通信のための無線構成およびスケジューリングを実施し得るか、または基地局コントローラ(図示せず)の制御下で動作し得る。いくつかの例では、基地局105は、マクロセル、スモールセル、ホットスポットなどであり得る。基地局105は、eノードB(eNB)105とも呼ばれ得る。
【００５１】
図2は、本開示の態様によるワイヤレス通信システムのためのTBセグメンテーションおよびシグナリングをサポートする例示的プロセスフロー200を示す。プロセスフローは、受信デバイス250および送信デバイス260を含み得るが、これらはそれぞれ、図1を参照して記載したUE115および基地局105の例であり得る。他の例では、受信デバイス250および送信デバイス260はそれぞれ、図1を参照して記載した基地局105およびUE115の例であり得る。
【００５２】
TBは、送信に先立って、1つまたは複数のCBにセグメンテーションされ得る。たとえば、TBが、デコーダが復号することが可能なビットの数よりも多くの情報ビットを含む場合、TBは、1つまたは複数のより小さいCBにセグメンテーションされ得る。1つまたは複数のCBは次いで、送信デバイス260から受信デバイス250へ送信され得る。受信すると、受信デバイス250は、初期TBからの1つもしくは複数のCBを、(たとえば、HARQプロセスにおける)再送信されたTBからの1つもしくは複数のCBと組み合わせることによって、1つもしくは複数のCBを復号することができ、または1つもしくは複数のCBを復号し、TB中で送信された情報を取得するために復号CBを組み立てることができる。いくつかの例では、TBは、RB中で送られるべき情報ビットの最小量未満を含む場合がある。そのようなケースでは、さらに以下で論じるように、パッドビットが決定され、TBに追加され得る。TBは次いで、決定されたパッドビットとともにTBからの情報ビットを含む単一のCBにセグメンテーションされ、送信デバイス260から受信デバイス250へ送信され得る。
【００５３】
TBを1つまたは複数のCBにセグメンテーションするために、送信デバイス260は、205において、オーバーヘッドチャネル用のトーンの基準個数を識別する。オーバーヘッドチャネルとは、あるサブフレーム中のデータ送信、および別のサブフレーム中の他の送信用に割り振られ(たとえば、周期的または非周期的に割り振られ)得るRBの1つまたは複数のREを指し得る。たとえば、第1のサブフレームでは、所与のREがデータ送信用に割り振られ得る。第2のサブフレームでは、所与のRE(たとえば、同じシンボルおよびキャリア割当てを有するが、異なるサブフレーム中のRE)が発見用に割り振られ得る。第3のサブフレームでは、所与のREが、発見および制御情報用に割り振られ得る。したがって、いくつかの例において、所与のREがデータ送信に割り振られるサブフレームが存在するが、いくつかのサブフレームでは、所与のREは、データ以外の情報の送信用に割り振られる。したがって、トーンの基準個数は、送信デバイス260と受信デバイス250との間の通信用に割り振られたフレーム構造のデータ領域において割り振ることができる潜在的オーバーヘッドチャネルの数に基づいて決定され得る。言い換えると、有限数のRBが、送信デバイス260と受信デバイス250との間の通信用に割り振られ得る。割り振られたRBのある部分は制御情報に割り当てられてよく、残りのRBはデータ送信用に割り当てられてよい。いくつかの例では、データ領域において割り振られたRBのある部分またはデータ領域において割り振られた1つもしくは複数のRBの1つもしくは複数のREがオーバーヘッドチャネル用に割り振られてよく、結果として、より少ないREおよび/またはRBがデータ送信用に利用可能になる。
【００５４】
いくつかの例では、オーバーヘッドチャネルは、データ領域中の、または制御チャネルが、UEもしくはUEのグループ向けのデータ送信に含まれるとき(たとえば、多ユーザ多入力多出力(MU-MIMO))の制御チャネル(たとえば、物理アップリンク共有チャネル(PUSCH))を含み得る。オーバーヘッドチャネルは、発見信号(たとえば、RBの1つもしくは複数のREが同期もしくはパイロット信号を含むときは同期信号)、またはチャネル状態インジケータ(たとえば、使用される場合は、チャネル状態情報基準信号(CSI-RS)もしくはゼロ電力CSI-RS)を含み得る。いくつかの例では、オーバーヘッドチャネルは、データ送信用に割り振られた1つまたは複数のRBの1つまたは複数のREに割り当てられ得る。そのような信号は、周期的または非周期的に送信され得る。上述したように、トーンの基準個数は、データ領域中で割り振られ得るオーバーヘッドチャネルの数に基づいて決定され得る。トーンの基準個数は、アップリンク、ダウンリンク、またはサイドリンクなどの通信リンク方向に基づき得る。たとえば、トーンの基準個数は、通信がアップリンク送信、ダウンリンク送信、それともサイドリンク送信であるかに依存して変わり得る。他の例では、トーンの基準個数は、1つまたは複数の通信リンク方向に対して同じになるように決定され得る。たとえば、アップリンク送信用のトーンの基準個数は、ダウンリンク送信用のトーンの基準個数と同じになるように決定され得るが、サイドリンク通信用に決定されたトーンの基準個数とは異なってよい。
【００５５】
一例では、いくつかのタイプのオーバーヘッドチャネルが、所与のサブフレーム中に送信されるようにスケジュールされた場合、データ領域中の利用可能REのうちの比較的大きい個数が、オーバーヘッドチャネル用に割り振られてよい。オーバーヘッドチャネルのうちのどれも、所与のサブフレーム中に送信されるようにスケジュールされなかった場合、データ領域中の利用可能REのうちの比較的少数が、オーバーヘッドチャネル用に割り振られてよい。いくつかの例では、オーバーヘッドチャネル用に割り振られるREの最大数、最小数、平均、またはメジアン数のうちの1つまたは複数が決定されてよく、205において識別されるトーンの基準個数は、オーバーヘッドチャネル用に割り振られるREの決定された数に基づき得る。他の検討事項は、たとえば、オーバーヘッドチャネル用に予約され得るトーンの辺りでの共有チャネル(たとえば、物理ダウンリンク共有チャネル(PDSCH))レート一致を含み得る。
【００５６】
205において識別されたトーンの基準個数を使用して、TBをセグメンテーションするためのCBの数を決定することができ、MCS、CBサイズ、TBサイズ、および/または割り振られたRBとの組合せで、TBは、さらに以下で論じるように、210において、1つまたは複数のCBにセグメンテーションされ得る。215において、1つまたは複数のCBは、送信デバイス260から受信デバイス250へ送信され得る。任意選択で、220において、送信デバイス260は、インジケータ(たとえば、CBサイズインジケータ)または205において識別されたトーンの基準個数を、受信デバイス250へ送信することができる。たとえば、送信デバイス260は、CBサイズインジケータまたは205において識別されたトーンの基準個数を、制御チャネル(たとえば、PDCCH)中で送信することができる。CBサイズインジケータおよび/またはトーンの基準個数を使用して、受信デバイス250は、215において送信された1つまたは複数のCBを復号することができる。1つまたは複数のCBの復号が215において成功した場合、受信デバイス250は、225において、送信の受信および復号が成功したことを示すACKフィードバック信号を送信デバイス260へ送信すればよい。代替として、1つまたは複数のCBの復号が成功しなかった場合、受信デバイス250は、225において、送信が成功せず、TBの再送信が必要とされることを示すNACKフィードバック信号を送信デバイス260へ送信すればよい。NACKフィードバック信号を受信すると、送信デバイス260は、230において、TBの1つまたは複数のCBを再送信することができる。230におけるTBの1つまたは複数のCBの再送信の後、235において、受信デバイス250は、215における、送信されたCBを、HARQプロセス中に230において再送信されたCBと組み合わせてよく、受信デバイス250は、ARQプロセス中に230において再送信された1つもしくは複数のCBを復号することができ、または受信デバイス250は、1つもしくは複数のCBの各々を復号し、復号された1つもしくは複数のCBに基づいて、TBを組み立てることができる。
【００５７】
図3Aおよび図3Bは、本開示の態様によるTBセグメンテーションの例301および例302を示す。図3Aにおいて、TB310は、1つまたは複数のCB(CB1、CB2、...、CBN)にセグメンテーションされて示されている。CBの数およびCBサイズは、TBサイズ(TBS)、MCS、および利用可能なRBの数に基づき得る。1つまたは複数のCBは、エラー検出システム(たとえば、巡回冗長検査(CRC))に基づいて決定された1つまたは複数のパリティビット(図示せず)を含み得る。
【００５８】
図3Bにおいて、TBSは、送信用の最小サイズ未満であり得る。この例では、CB315が、TBをパッドビット(PB)とともに含むことができ、CBサイズ(CBS)は、TBおよび1つまたは複数のPBに基づいて決定され得る。
【００５９】
図4は、本開示の態様による、TBセグメンテーションおよびシグナリングをサポートするワイヤレス通信のための方法400を示すフローチャートを示す。方法400は、図2に示したように、送信デバイス260および受信デバイス250など、送信デバイスから受信デバイスへ送信されるべき1つまたは複数のCBへのTBのセグメンテーションを決定するのに利用され得る。405において、CBごとの情報ビットの数が決定される。CBごとの情報ビットの数は、MCSおよびCBサイズに基づいて決定され得る。たとえば、MCSは、1/2、3/4、5/6、7/8というコードレート、または別のコードレートを指示し得るが、これらは、CBサイズを決定するのに使用され得る。CBサイズは、複数の所定のビット数に基づき得る(たとえば、648ビット、1296ビット、1944ビット、など)。代替的に、CBサイズは、MCSに基づき得る。他の例では、CBサイズは、最小許容ブロックサイズに少なくとも部分的に基づいて決定されてよく、最小許容ブロックサイズは、特に、ワイヤレス通信システム、MCS、またはワイヤレス通信システム内のデバイスのハードウェア制限に依存し得る。たとえば、LTE/LTE-A通信システムにおけるデコーダは、40ビットという最小CBサイズを有し得る。他の例では、CBサイズは、最大許容ブロックサイズに少なくとも部分的に基づいて決定されてよい。たとえば、LTE/LTE-A通信システムにおけるデコーダは、6144ビットという最大CBサイズを有し得る。
【００６０】
410において、TB用のCBの数が決定される。CBの数は物理ビットの数に基づいてよく、物理ビットの数は、送信デバイスと受信デバイスとの間の送信用に割り振られたRBの数から算出され得る。物理ビットの数は、MCSにも依存し得る。たとえば、MCSが、OFDM方式において2という変調次数を指示し(たとえば、サブフレームごとに、12個のサブキャリア、7つのOFDMシンボル、および2つのスロットを指示する)、2つのRBが送信用に割り振られる場合、送信に利用可能な物理ビットの数として、672ビットが決定されてよい。672ビットのうちのいくつかは制御チャネル用に割り振られてよく、そのような事例では、672ビットのある部分のみが、他の送信用に利用可能であり得る。CBの数は、上述したように、オーバーヘッドチャネル(たとえば、制御チャネル)用のトーンの基準個数にも基づき得る。MCSおよびオーバーヘッドチャネル用のトーンの基準個数に基づいて、オーバーヘッドビットの基準個数が決定され得る。物理ビットの数、オーバーヘッドビットの基準個数、およびCBサイズ(たとえば、648もしくは1296のうちの1つ、またはMCSに基づく)を使用して、TBのセグメンテーションのためのCBの数が、以下の式1に基づいて決定され得る。
【００６１】
【数１】
2020039149.tif 000003
【００６２】
式1において、
【数２】
2020039149.tif 000004
はTBのセグメンテーションのためのCBの数であり、
【数３】
2020039149.tif 000005
は、送信用に割り振られた物理ビットの数(制御チャネル用に割り振られたビットの数を除く)であり、
【数４】
2020039149.tif 000006
は、オーバーヘッドチャネル用のトーンの基準個数に基づくオーバーヘッドビットの基準個数であり、CBSはCBサイズである。ここで、天井関数は、最も近い整数に切り上げるための関数である。
【００６３】
TB用のCBの数が410において決定されると、405からのCBごとの情報ビットの数を使用して、TB用の情報ビットの数が、CBごとの情報ビットの数とTBのセグメンテーションのためのCBの数とを乗算することによって、415において決定され得る。この時点で、TB用のCBの決定された数および415において決定されたTB用の情報ビットの数は、オーバーヘッドビットの基準個数に基づき、したがって、所与のサブフレーム中で使用されるオーバーヘッドビットの実際の数には依存しない。
【００６４】
420において、オーバーヘッドビットの実際の数が決定される。いくつかの例では、2つのサブフレームの間で、オーバーヘッドチャネルの実際の数が異なり得るので、オーバーヘッドビットの実際の数は、現在のサブフレーム中のデータ送信用に割り振られた1つまたは複数のRBの1つまたは複数のREを使用するオーバーヘッドチャネルの数に基づいて決定される。
【００６５】
オーバーヘッドビットの実際の数および410において決定されたオーバーヘッドビットの基準個数に基づくTB用のCBの数に基づいて、パッドビットの数またはパンクチャビットの数が、425において決定され得る。現在のサブフレーム用のパンクチャビットの数(Npun_bits)を決定するために、現在のサブフレーム中で使用されるオーバーヘッドビットの実際の数が、現在のサブフレーム中のデータ送信用に割り振られた物理ビットの数から減算され得る。410において決定されたTB用のCBの数およびパンクチャビットの数に基づいて、CBごとのパンクチャビットの数が、以下の式2に基づいて決定され得る。
【００６６】
【数５】
2020039149.tif 000007
【００６７】
式2において、Npun_CBは、CBごとのパンクチャビットの数であり、Npun_bitsは、上で決定されたパンクチャビットの数であり、
【数６】
2020039149.tif 000008
は、410において決定された、TBのセグメンテーションのためのCBの数である。ここで、天井関数は、最も近い整数に切り上げるための関数である。
【００６８】
CBごとのパンクチャビットの数が決定されると、TB用のパッドビットの数(Npad_bits)が、以下の式3に基づいて決定され得る。
【００６９】
【数７】
2020039149.tif 000009
【００７０】
式3において、Npad_bitsは、TB用のパッドビットの数であり、Npun_CBは、CBごとのパンクチャビットの数であり、Npun_bitsは、式2を参照して上で決定されたパンクチャビットの数であり、
【数８】
2020039149.tif 000010
は、410において決定された、TBのセグメンテーションのためのCBの数である。ここで、パッドビットの数およびパンクチャビットは、現在のサブフレーム中で使用される実際のオーバーヘッドチャネルに基づいて決定され得る。
【００７１】
方法400を使用して、CBは、パンクチャビットの数に基づいてパンクチャリングされ、または上で決定されたパッドビットの数に基づいてパディングされ得る。現在のサブフレーム中の実際のオーバーヘッドチャネルを構成した後、CBは次いで、430において、1つまたは複数のRB中のシンボルにマップされてよく、インターリービングプロセス(たとえば、各シンボル向けのRBレベルでのインターリーバ)が、CBの送信に先立って実施されてよい。
【００７２】
1つまたは複数のCBが、1つまたは複数のRB中のトーンにマップされた後、インターリーバプロセスが各シンボル向けに実施されてよい。いくつかの例では、行-列(RC)インターリーバプロセスが、1つまたは複数のCBに関連付けられたトーンを、各シンボル内のリソースにインターリーブするのに使用され得る。所与のシンボル中に存在する可能オーバーヘッドトーンまたはオーバーヘッドチャネル用のトーンの基準個数に基づいて、ビットがインターリーブされ得る。たとえば、1つまたは複数のCBに関連付けられたトーンは、1つまたは複数のCBに関連付けられたトーンのみがインターリーブされ、オーバーヘッドトーンがインターリーブされないように、可能オーバーヘッドトーン付近でインターリーブされ得る。いくつかの例では、インターリービングプロセスは、1つまたは複数のCBに関連付けられたトーンを、利用可能RBにマップするのに先立って実施されてよく、他の要因の中でも、利用可能リソース、MCS、およびオーバーヘッドトーンの数に少なくとも部分的に基づき得る。様々な例において、いくつかのCB用のビットは、再送信と比較すると、初期送信中で異なるシンボルロケーションを有し得る。
【００７３】
インターリービング
図5Aおよび図5Bは、本開示の様々な態様による例示的インターリーバプロセス500を示す。図5Aにおいて、TB505が、1つまたは複数のCB(たとえば、CB1、CB2、CB3、CB4、CB5、およびCB6)にセグメンテーションされ得る。TB505は、本開示の1つもしくは複数のセグメンテーション方法を使用してセグメンテーションされてよく、または任意の他の技法を使用して1つもしくは複数のCBにセグメンテーションされてもよい。図5Aに示すように、CB1、CB2、CB3、CB4、CB5、およびCB6の各々は、合計240個の割り振られたトーンを有するTB505の40トーンにまたがる。理解されるように、本開示の範囲から逸脱することなく、任意の数のCBが、TB505をセグメンテーションするのに使用されてよく、任意の数のトーンが検討されてもよい。
【００７４】
kトーン行-列(RC)インターリーバプロセスにおいて、トーンの各kサイズのバンドルが列中の利用可能リソースに書き込まれ得るが、行中で読み取られてよく、その逆も同様である。ここで、kは、バンドル中のトーンの数を指し、1つまたは複数のバンドルは、1つまたは複数のRBのシンボルにまたがる。図5Aのインターリーバプロセス500には、16トーンRCインターリーバプロセスが示されている。この例では、16トーンがトーンバンドルを構成し、1つのトーンバンドルが、単一のRBのシンボルにまたがる。インターリーバプロセスを実施するために、CB1、CB2、CB3、CB4、CB5、およびCB6のトーンが、図5Bに示すように、インターリーバ行列550用の行および列の数を算出することによって、1つまたは複数のRBにマップされ得る。トーンは次いで、インターリーバ行列550の要素に第1の順序で(たとえば、最初に列に沿って、次いで、行に沿って)書き込まれ、書き込まれた要素をインターリーバ行列550から第2の、異なる順序で(たとえば、最初に行に沿って、次いで、列に沿って)読み取ることによってインターリーブされ得る。インターリーバ行列550を決定するために、インターリーバ行列550用の行の数(Nrows)が、天井関数を使用して次のように算出され得る。
【００７５】
【数９】
2020039149.tif 000011
【００７６】
式4において、Nは、CBごとの符号化ビットの数(たとえば、マップされるべきビット)であり、Npun_CBは、CBごとのパンクチャビットの数(上述したように算出され得る)であり、NLayersは、変調およびコーディング方式によるレイヤの数であり、NQAMはMCSによる変調次数であり、kは各バンドル中のトーンの数である。インターリーバ行列550用の行の算出された数を使用して、列の数(Ncols)が、天井関数を使用して次のように算出され得る。
【００７７】
【数１０】
2020039149.tif 000012
【００７８】
式5において、Ntones_availは、1つまたは複数のCBのビットをマップするためのシンボル中の利用可能トーンの数であり、Nrowsは、式4から算出された行の数であり、kは、各バンドル中のトーンの数である。
【００７９】
行および列の数が、それぞれ式4および5から算出されると、1つまたは複数のCBのトーンが、図5Bに示すようにインターリーバ行列550に書き込まれ得る。この例では、列の数(式5を使用して、5であると算出される)および行の数(式4を使用して、3であると算出される)が、図5Bに示すインターリーバ行列550を構成する。CB1、CB2、CB3、CB4、CB5、およびCB6の各々のトーンは、図示されるように、列方向555で要素に書き込まれ得る。書き込まれた要素を異なる方向で読み取る、たとえば、行方向560で読み取るとき、1つまたは複数のCBのトーンは、互いの間にインターリーブされ得る。たとえば、図5Aおよび図5Bに示すように、TB505のトーンは、列方向555で書き込まれ、行方向560で読み取られ、インターリーブされたCBは、インターリーバ行列550からトーンが読み取られた順序でRB510(RB1、RB2、...、RB15)にマップされ得る。1つまたは複数のCBのトーンが列方向555で書き込まれ、行方向560で読み取られたとき、得られるインターリーブされたCBは、図5AのRB510によって表されるように、利用可能RB(RB1、RB2、...、RB15)にマップされ得る。
【００８０】
1つまたは複数のCBのトーンは、図5Bに示したように、列方向555で書き込まれ、行方向560で読み取られ得るが、トーンは、行方向で書き込まれ、列方向で読み取られる場合がある。他の例では、トーンは、どの所定の順序で書き込まれても、トーンが書き込まれた順序とは異なり得る、どの所定の順序で読み取られてもよい。
【００８１】
いくつかの例では、CBの1つまたは複数のトーンがインターリーブされ、利用可能リソースにマップされた後、マップされたCBは次いで、送信デバイス(たとえば、図2の送信デバイス260)から受信デバイス(たとえば、図2の受信デバイス250)へ送信され得る。受信デバイスによって受信されると、受信デバイスは、1つまたは複数のCBを復号するために、デインターリービングプロセス(たとえば、インターリービングプロセスの逆)を実施してよい。
【００８２】
図6Aおよび図6Bは、本開示の様々な態様による例示的デインターリービングプロセス600を示す。インターリーブされ、マップされた1つまたは複数のCB605が受信デバイス(たとえば、図2の受信デバイス250)によって受信された後、TBの1つまたは複数のCBを取得し、復号するために、デインターリービングプロセスが実施され得る。上の式4および5を使用して行および列の数を算出することによって、CB605の受信されたトーンが、図6Bに示すように、デインターリーバ行列650の要素に書き込まれ得る。いくつかの例では、デインターリーバ行列650の行および列は、CBサイズインジケータに基づいて算出され得る。たとえば、CBサイズインジケータは、所定であってもよく、送信デバイスから受信デバイスへ送信されてもよく、CB605の受信されたトーンは、CBサイズインジケータに基づいて、デインターリーバ行列650の要素に書き込まれ得る。デインターリーバ行列650に従って、CB605の受信されたトーンは、デインターリーバ行列650の要素に書き込まれ得る。いくつかの例では、トーンは、デインターリーバ行列650の要素に第1の順序で(たとえば、最初に行に沿って、次いで、列に沿って)書き込まれ得る。CB605の受信されたトーンは次いで、書き込まれた要素をデインターリーバ行列650から第2の、異なる順序で(たとえば、最初に列に沿って、次いで、行に沿って)読み取ることによって、デインターリーブされ得る。トーンは次いで、1つまたは複数のCB、すなわちCB1、CB2、CB3、CB4、CB5、およびCB6をもつTB610を取得するように、列方向660で読み取られるときに順序付けされ得る。デインターリーブされたCBに基づいて、TB610中で送信されたデータが復号され得る。
【００８３】
1つまたは複数のCBのトーンは、図6Bに示したように、列方向660で書き込まれ、行方向655で読み取られ得るが、他の例では、トーンは、列方向で書き込まれ、行方向で読み取られる場合がある。他の例では、トーンは、どの所定の順序で書き込まれても、トーンが書き込まれた順序とは異なり得る、どの所定の順序で読み取られてもよい。
【００８４】
図7は、本開示の様々な態様による、TBセグメンテーションおよびシグナリングをサポートするワイヤレスデバイス700のブロック図を示す。ワイヤレスデバイス700は、図2を参照して記載した受信デバイス250および送信デバイス260を含む、図1および図2を参照して記載したUE115または基地局105の態様の例であり得る。ワイヤレスデバイス700は、受信機705、送信機710およびTBセグメンテーションマネージャ715を含み得る。ワイヤレスデバイス700は、プロセッサおよびメモリも含み得る。これらの構成要素の各々は、互いと通信していることがある。
【００８５】
受信機705は、パケット、ユーザデータ、または様々な情報チャネルに関連付けられた制御情報(たとえば、制御チャネル、データチャネルおよびTBセグメンテーションおよびシグナリングに関する情報など)を受信し得る。情報は、デバイスの他の構成要素に渡され得る。受信機705は、図10を参照して説明するトランシーバ1025の態様の例であり得る。
【００８６】
送信機710は、ワイヤレスデバイス700の他の構成要素から受信された信号を送信し得る。いくつかの例では、送信機710は、トランシーバモジュール中で受信機とコロケートされ得る。たとえば、送信機710は、図10を参照して説明するトランシーバ1025の態様の例であり得る。送信機710は、単一のアンテナを含み得るか、または複数のアンテナを含み得る。
【００８７】
TBセグメンテーションマネージャ715は、TBのCBに関連付けられたCBサイズインジケータを受信し、CBサイズインジケータに少なくとも部分的に基づいてCBを復号し、復号CBに少なくとも部分的に基づいてTBを組み立て、TBのオーバーヘッドチャネル用のトーンの基準個数を識別し、オーバーヘッドチャネル用のトーンの基準個数に少なくとも部分的に基づいて、TBをCBにセグメンテーションすることができる。TBセグメンテーションマネージャ715は、図10を参照して説明するTBセグメンテーションマネージャ1005の態様の例でもあり得る。
【００８８】
図8は、本開示の様々な態様による、TBセグメンテーションおよびシグナリングをサポートするワイヤレスデバイス800のブロック図を示す。ワイヤレスデバイス800は、図2を参照して記載した受信デバイス250および送信デバイス260を含む、図1、図2、および図7を参照して記載したワイヤレスデバイス700またはUE115もしくは基地局105の態様の例であり得る。ワイヤレスデバイス800は、受信機805、TBセグメンテーションマネージャ810および送信機840を含み得る。ワイヤレスデバイス800は、プロセッサも含み得る。これらの構成要素の各々は、互いと通信していることがある。
【００８９】
受信機805は、デバイスの他の構成要素に渡され得る情報を受信し得る。受信機805は、図7の受信機705を参照して記載した機能を実施することもできる。受信機805は、図10を参照して説明するトランシーバ1025の態様の例であり得る。
【００９０】
TBセグメンテーションマネージャ810は、図7を参照して説明したTBセグメンテーションマネージャ715の態様の例であり得る。TBセグメンテーションマネージャ810は、TB通信マネージャ815、基準トーンマネージャ820、TBセグメンタ825、CBデコーダ830、およびTBアセンブラ835を含み得る。TBセグメンテーションマネージャ810は、図10を参照して説明するTBセグメンテーションマネージャ1005の態様の例であり得る。
【００９１】
TB通信マネージャ815は、TBのCBに関連付けられたCBサイズインジケータを受信し、制御チャネルを使用してCBサイズインジケータを受信し、制御チャネルを使用してトーンの基準個数を受信し得る。いくつかのケースでは、CBサイズインジケータは、TBのオーバーヘッドチャネルに関連付けられたトーンの基準個数に少なくとも部分的に基づく。いくつかのケースでは、トーンの基準個数は、TBのデータ領域中の制御チャネル、同期チャネル、またはCSI-RSのうちの1つまたは複数に少なくとも部分的に基づく。いくつかのケースでは、トーンの基準個数は、オーバーヘッドチャネルに関連付けられたトーンの最大数、トーンの最小数、またはトーンのメジアン数のうちの1つまたは複数に少なくとも部分的に基づく。いくつかのケースでは、CBサイズインジケータは、TBに関連付けられたオーバーヘッドチャネル用のトーンの実際の数に少なくとも部分的に基づく。
【００９２】
基準トーンマネージャ820は、TBのオーバーヘッドチャネル用のトーンの基準個数を識別することができる。いくつかのケースでは、オーバーヘッドチャネル用のトーンの基準個数は、TBのデータ領域中の制御チャネル、同期チャネル、またはCSI-RSのうちの1つまたは複数に少なくとも部分的に基づく。いくつかのケースでは、オーバーヘッドチャネル用のトーンの基準個数は、オーバーヘッドチャネルに関連付けられたトーンの最大数、トーンの最小数、またはトーンのメジアン数のうちの1つまたは複数に少なくとも部分的に基づく。いくつかの例では、トーンの基準個数は通信リンク方向に少なくとも部分的に基づいてよく、通信リンク方向は、アップリンク、ダウンリンク、またはサイドリンクであり得る。
【００９３】
TBセグメンタ825は、オーバーヘッドチャネル用のトーンの基準個数に少なくとも部分的に基づいて、TBをCBにセグメンテーションし、制御チャネル上で、CBサイズインジケータまたはトーンの基準個数を送信することができる。
【００９４】
CBデコーダ830は、CBサイズインジケータに少なくとも部分的に基づいてCBを復号し得る。
【００９５】
TBアセンブラ835は、復号CBに少なくとも部分的に基づいてTBを組み立てることができる。
【００９６】
送信機840は、ワイヤレスデバイス800の他の構成要素から受信された信号を送信し得る。いくつかの例では、送信機840は、トランシーバモジュール中で受信機とコロケートされ得る。たとえば、送信機840は、図10を参照して説明するトランシーバ1025の態様の例であり得る。送信機840は、単一のアンテナを利用し得るか、または複数のアンテナを利用し得る。
【００９７】
図9は、ワイヤレスデバイス700またはワイヤレスデバイス800の対応する構成要素の例であり得るTBセグメンテーションマネージャ900のブロック図を示す。すなわち、TBセグメンテーションマネージャ900は、図7および図8を参照して説明したTBセグメンテーションマネージャ715またはTBセグメンテーションマネージャ810の態様の例であり得る。TBセグメンテーションマネージャ900は、図10を参照して説明するTBセグメンテーションマネージャ1005の態様の例でもあり得る。
【００９８】
TBセグメンテーションマネージャ900は、TB通信マネージャ905、基準トーンマネージャ910、TBセグメンタ915、オーバーヘッドチャネルリソースマネージャ920、ビット算出器925、CBデコーダ930、TBアセンブラ935、インターリーバ940、およびデインターリーバ945を含み得る。これらのモジュールの各々は、直接または間接的に、互いと(たとえば、1つまたは複数のバスを介して)通信することができる。
【００９９】
TB通信マネージャ905は、TBのCBに関連付けられたCBサイズインジケータを受信し、制御チャネルを使用してCBサイズインジケータを受信し、制御チャネルを使用してトーンの基準個数を受信し得る。いくつかのケースでは、CBサイズインジケータは、TBのオーバーヘッドチャネルに関連付けられたトーンの基準個数に少なくとも部分的に基づく。いくつかのケースでは、トーンの基準個数は、TBのデータ領域中の制御チャネル、同期チャネル、またはCSI-RSのうちの1つまたは複数に少なくとも部分的に基づく。いくつかのケースでは、トーンの基準個数は、オーバーヘッドチャネルに関連付けられたトーンの最大数、トーンの最小数、またはトーンのメジアン数のうちの1つまたは複数に少なくとも部分的に基づく。いくつかのケースでは、CBサイズインジケータは、TBに関連付けられたオーバーヘッドチャネル用のトーンの実際の数に少なくとも部分的に基づく。
【０１００】
基準トーンマネージャ910は、TBのオーバーヘッドチャネル用のトーンの基準個数を識別することができる。いくつかのケースでは、オーバーヘッドチャネル用のトーンの基準個数は、TBのデータ領域中の制御チャネル、同期チャネル、またはCSI-RSのうちの1つまたは複数に少なくとも部分的に基づく。いくつかのケースでは、オーバーヘッドチャネル用のトーンの基準個数は、オーバーヘッドチャネルに関連付けられたトーンの最大数、トーンの最小数、またはトーンのメジアン数のうちの1つまたは複数に少なくとも部分的に基づく。いくつかの例では、トーンの基準個数は通信リンク方向に少なくとも部分的に基づいてよく、通信リンク方向は、アップリンク、ダウンリンク、またはサイドリンクであり得る。
【０１０１】
TBセグメンタ915は、オーバーヘッドチャネル用のトーンの基準個数に少なくとも部分的に基づいて、TBをCBにセグメンテーションし、制御チャネル上で、CBサイズインジケータまたはトーンの基準個数を送信することができる。
【０１０２】
オーバーヘッドチャネルリソースマネージャ920は、オーバーヘッドチャネルに関連付けられたトーンの実際の数を決定することができ、TBをCBにセグメンテーションすることは、トーンの実際の数にさらに少なくとも部分的に基づく。
【０１０３】
ビット算出器925は、TBに関連付けられたCBの数およびCB用の情報ビットの数に少なくとも部分的に基づいて、TB用の情報ビットの数を決定し、CBサイズおよびコードレートに少なくとも部分的に基づいて、CB用の情報ビットの数を決定し、TB用に割り振られたRBの数およびオーバーヘッドチャネル用のトーンの基準個数に少なくとも部分的に基づいて、TBに関連付けられたCBの数を決定し、オーバーヘッドチャネルに関連付けられたトーンの実際の数に少なくとも部分的に基づいて、TB用のパッドビットの数を決定し、オーバーヘッドチャネルに関連付けられたトーンの実際の数に少なくとも部分的に基づいて、CB用のパンクチャリングされるビットの数を決定することができる。
【０１０４】
CBデコーダ930は、CBサイズインジケータに少なくとも部分的に基づいてCBを復号し得る。
【０１０５】
TBアセンブラ935は、復号CBに少なくとも部分的に基づいてTBを組み立てることができる。
【０１０６】
インターリーバ940は、1つまたは複数のCBのトーンをインターリーブすることができ、図5Aおよび図5Bを参照して記載したインターリービングプロセスなどのインターリービングプロセスを実施することができる。インターリービングプロセスは、各シンボルに対して実施され得る。いくつかの例では、RCインターリーバプロセスが、1つまたは複数のCBに関連付けられたトーンを、シンボル内のリソースにインターリーブするのに使用され得る。所与のシンボル中に存在する可能オーバーヘッドトーンまたはオーバーヘッドチャネル用のトーンの基準個数に基づいて、ビットがインターリーブされ得る。たとえば、1つまたは複数のCBに関連付けられたトーンは、1つまたは複数のCBに関連付けられたトーンのみがインターリーブされ、オーバーヘッドトーンがインターリーブされないように、可能オーバーヘッドトーン付近でインターリーブされ得る。いくつかの例では、インターリービングプロセスは、1つまたは複数のCBに関連付けられたトーンを、利用可能RBにマップするのに先立って実施されてよく、他の要因の中でも、利用可能リソース、MCS、およびオーバーヘッドトーンの数に少なくとも部分的に基づき得る。様々な例において、いくつかのCB用のビットは、再送信と比較すると、初期送信中で異なるシンボルロケーションを有する。いくつかの例では、インターリーバ940は、トーンバンドルサイズおよび複数のCBに関連付けられたCBサイズに少なくとも部分的に基づいてインターリーバ行列を決定することができる。インターリーバ940は、インターリーバ行列に従って複数のCBをインターリーブすることができる。
【０１０７】
デインターリーバ945は、1つまたは複数のCBのトーンをデインターリーブすることができ、図6Aおよび図6Bを参照して記載したデインターリービングプロセスなどのデインターリービングプロセスを実施することができる。デインターリービングプロセスは、TBの1つまたは複数のCBを取得し、復号するために実施され得る。いくつかの例では、(たとえば、図6Bに示すような)デインターリーバ行列650が、CBサイズインジケータに基づいて算出され得る。デインターリーバは、デインターリーバ行列に従って1つまたは複数のCBのトーンをデインターリーブすることができる。
【０１０８】
図10は、本開示の様々な態様による、TBセグメンテーションおよびシグナリングをサポートするデバイスを含むシステム1000の図を示す。たとえば、システム1000はデバイス1050を含み得るが、デバイス1050は、図1、図2(図2を参照して記載した受信デバイス250および送信デバイス260を含む)、および図7〜図9を参照して記載したワイヤレスデバイス700、ワイヤレスデバイス800、UE115、または基地局105の例であってよい。
【０１０９】
図示されるように、デバイス1050は、TBセグメンテーションマネージャ1005、メモリ1010、プロセッサ1020、トランシーバ1025、アンテナ1030および追加モジュール1035も含み得る。これらのモジュールの各々は、直接または間接的に、互いと(たとえば、1つまたは複数のバスを介して)通信することができる。
【０１１０】
TBセグメンテーションマネージャ1005は、図7〜図9を参照して説明したTBセグメンテーションマネージャの例であり得る。
【０１１１】
メモリ1010は、ランダムアクセスメモリ(RAM)および読取り専用メモリ(ROM)を含み得る。メモリ1010は、実行されると、本明細書で説明する様々な機能(たとえば、TBセグメンテーションおよびシグナリングなど)をプロセッサに実施させる命令を含むコンピュータ可読コンピュータ実行可能ソフトウェアを記憶し得る。
【０１１２】
いくつかのケースでは、ソフトウェア1015は、プロセッサによって直接的に実行可能でないことがあるが、(たとえば、コンパイルされ実行されたとき)コンピュータに本明細書で説明する機能を実施させ得る。
【０１１３】
プロセッサ1020は、インテリジェントハードウェアデバイス(たとえば、中央処理ユニット(CPU)、マイクロコントローラ、特定用途向け集積回路(ASIC)など)を含み得る。
【０１１４】
上記で説明したように、トランシーバ1025は、1つまたは複数のアンテナまたはワイヤードまたはワイヤレスリンクを介して、1つまたは複数のネットワークと双方向に通信し得る。たとえば、トランシーバ1025はデバイス1055と双方向に通信することができ、デバイス1055は、図1を参照して記載したUE115または基地局105の例であってよい。トランシーバ1025は、パケットを変調し、変調されたパケットを送信のためにアンテナに提供し、かつアンテナから受信されたパケットを復調するためのモデムも含み得る。
【０１１５】
いくつかのケースでは、ワイヤレスデバイスは単一のアンテナ1030を含み得る。ただし、いくつかのケースでは、デバイスは複数のアンテナ1030を有することができ、複数のアンテナ1030は、複数のワイヤレス送信を同時に送信または受信することが可能であり得る。
【０１１６】
図11は、本開示の様々な態様による、TBセグメンテーションおよびシグナリングをサポートするデバイス1150を含むワイヤレスシステム1100の図を示す。たとえば、ワイヤレスシステム1100はデバイス1150を含み得るが、デバイス1150は、図1、図2(図2を参照して記載した受信デバイス250および送信デバイス260を含む)、および図7〜図9を参照して記載したワイヤレスデバイス700、ワイヤレスデバイス800、TBセグメンテーションマネージャ900、UE115または基地局105の例であってよい。デバイス1150はまた、通信を送信するための構成要素と通信を受信するための構成要素とを含む、双方向音声およびデータ通信のための構成要素を含み得る。たとえば、デバイス1150は、UE1155またはUE1160のうちの1つまたは複数と双方向に通信することができ、これらのUEは、図1を参照して記載したUE115の態様の例であり得る。
【０１１７】
デバイス1150は、TBセグメンテーションマネージャ1105、メモリ1110、プロセッサ1120、トランシーバ1125、アンテナ1130、基地局通信モジュール1135およびネットワーク通信モジュール1140も含み得る。これらのモジュールの各々は、直接または間接的に、互いと(たとえば、1つまたは複数のバスを介して)通信することができる。
【０１１８】
TBセグメンテーションマネージャ1105は、図7〜図9を参照して説明したTBセグメンテーションマネージャの例であり得る。
【０１１９】
メモリ1110は、RAMおよびROMを含み得る。メモリ1110は、実行されると、本明細書で説明する様々な機能(たとえば、TBセグメンテーションおよびシグナリングなど)をプロセッサに実施させる命令を含むコンピュータ可読コンピュータ実行可能ソフトウェアを記憶し得る。
【０１２０】
いくつかのケースでは、ソフトウェア1115は、プロセッサによって直接的に実行可能でないことがあるが、(たとえば、コンパイルされ実行されたとき)コンピュータに本明細書で説明する機能を実施させ得る。
【０１２１】
プロセッサ1120は、インテリジェントハードウェアデバイス(たとえば、CPU、マイクロコントローラ、ASICなど)を含んでよい。
【０１２２】
上記で説明したように、トランシーバ1125は、1つまたは複数のアンテナまたはワイヤードまたはワイヤレスリンクを介して、1つまたは複数のネットワークと双方向に通信し得る。たとえば、トランシーバ1125は、UE1155またはUE1160と双方向に通信し得る。トランシーバ1125は、パケットを変調し、変調されたパケットを送信のためにアンテナに提供し、かつアンテナから受信されたパケットを復調するためのモデムも含み得る。
【０１２３】
いくつかのケースでは、ワイヤレスデバイスは単一のアンテナ1130を含み得る。ただし、いくつかのケースでは、デバイスは複数のアンテナ1130を有することができ、複数のアンテナ1130は、複数のワイヤレス送信を同時に送信または受信することが可能であり得る。
【０１２４】
基地局通信モジュール1135は、図1を参照して記載した基地局105の態様の例であり得る基地局1165および/または基地局1170との通信を管理することができ、基地局1165および/または基地局1170と協働して、UE1155およびUE1160との通信を制御するためのコントローラまたはスケジューラを含み得る。たとえば、基地局通信モジュール1135は、ビームフォーミングまたはジョイント送信などの様々な干渉軽減技法のために、UE1155およびUE1160への送信のためのスケジューリングを協調させることができる。いくつかの例では、基地局通信モジュール1135は、基地局1165と基地局1170との間の通信を行うために、LTE/LTE-Aワイヤレス通信ネットワーク技術内のX2インターフェースを提供し得る。
【０１２５】
ネットワーク通信モジュール1140は、コアネットワーク1175との通信を(たとえば、1つまたは複数のワイヤードバックホールリンクを介して)管理することができ、コアネットワーク1175は、図1を参照して記載したコアネットワーク130の態様の例であり得る。たとえば、ネットワーク通信モジュール1140は、UE1155またはUE1160のうちの1つまたは複数などのクライアントデバイスのためのデータ通信の転送を管理することができる。
【０１２６】
図12は、本開示の様々な態様による、TBセグメンテーションおよびシグナリングのための方法1200を示すフローチャートを示す。方法1200の動作は、図1、図2、および図7〜図9を参照して記載した、UE115もしくは基地局105(たとえば、図2を参照して記載した送信デバイス260を含む)、またはワイヤレスデバイス700、ワイヤレスデバイス800、TBセグメンテーションマネージャ900、もしくはそれらの構成要素などのデバイスによって実装され得る。たとえば、方法1200の動作は、本明細書で説明するように、UE115または基地局105によって実施され得る。いくつかの例では、UE115または基地局105は、以下で説明する機能を実施するようにデバイスの機能要素を制御するためのコードのセットを実行することができる。追加または代替として、UE115または基地局105は、専用ハードウェアを使用して、以下で説明される機能態様を実施し得る。
【０１２７】
ブロック1205において、UE115または基地局105は、図2〜図4を参照して上述したように、TBのオーバーヘッドチャネル用のトーンの基準個数を識別し得る。いくつかの例では、ブロック1205の動作は、図8および図9を参照して説明したように、基準トーンマネージャによって実施され得る。
【０１２８】
ブロック1210において、UE115または基地局105は、図2〜図4を参照して上述したように、オーバーヘッドチャネル用のトーンの基準個数に基づいて、TBをCBにセグメンテーションし得る。いくつかの例では、ブロック1210の動作は、図8および図9を参照して説明したように、TBセグメンタによって実施され得る。
【０１２９】
図13は、本開示の様々な態様による、TBセグメンテーションおよびシグナリングのための方法1300を示すフローチャートを示す。方法1300の動作は、図1、図2、および図7〜図9を参照して記載した、UE115もしくは基地局105(たとえば、図2を参照して記載した受信デバイス250を含む)、またはワイヤレスデバイス700、ワイヤレスデバイス800、TBセグメンテーションマネージャ900、もしくはそれらの構成要素などのデバイスによって実装され得る。たとえば、方法1300の動作は、本明細書で説明するように、TBセグメンテーションマネージャによって実施され得る。いくつかの例では、UE115または基地局105は、以下で説明する機能を実施するようにデバイスの機能要素を制御するためのコードのセットを実行することができる。追加または代替として、UE115または基地局105は、専用ハードウェアを使用して、以下で説明する機能の態様を実施し得る。
【０１３０】
ブロック1305において、UE115または基地局105は、図2〜図4を参照して上述したように、TBのCBに関連付けられたCBサイズインジケータを受信し得る。いくつかの例では、ブロック1305の動作は、図8および図9を参照して説明したように、TB通信マネージャによって実施され得る。
【０１３１】
ブロック1310において、UE115または基地局105は、図2〜図4を参照して上述したように、CBサイズインジケータに基づいてCBを復号し得る。いくつかの例では、ブロック1310の動作は、図8および図9を参照して説明したように、CBデコーダによって実施され得る。
【０１３２】
ブロック1315において、UE115または基地局105は、図2〜図4を参照して上述したように、復号CBに基づいてTBを組み立てることができる。いくつかの例では、ブロック1315の動作は、図8および図9を参照して説明したように、TBアセンブラによって実施され得る。
【０１３３】
図14は、本開示の様々な態様による、TBセグメンテーションおよびシグナリングのための方法1400を示すフローチャートを示す。方法1400の動作は、図1、図2、および図7〜図9を参照して記載した、UE115もしくは基地局105(たとえば、図2を参照して記載した送信デバイス260を含む)、またはワイヤレスデバイス700、ワイヤレスデバイス800、TBセグメンテーションマネージャ900、もしくはそれらの構成要素などのデバイスによって実装され得る。たとえば、方法1400の動作は、本明細書で説明するように、TBセグメンテーションマネージャによって実施され得る。いくつかの例では、UE115または基地局105は、以下で説明する機能を実施するようにデバイスの機能要素を制御するためのコードのセットを実行することができる。追加または代替として、UE115または基地局105は、専用ハードウェアを使用して、以下で説明される機能態様を実施し得る。
【０１３４】
ブロック1405において、UE115または基地局105は、図2〜図4を参照して上述したように、TBのオーバーヘッドチャネル用のトーンの基準個数を識別し得る。いくつかの例では、ブロック1405の動作は、図8および図9を参照して説明したように、基準トーンマネージャによって実施され得る。
【０１３５】
ブロック1410において、UE115または基地局105は、図2〜図4を参照して上述したように、オーバーヘッドチャネル用のトーンの基準個数に基づいて、TBをCBにセグメンテーションし得る。いくつかの例では、ブロック1410の動作は、図8および図9を参照して説明したように、TBセグメンタによって実施され得る。
【０１３６】
ブロック1415において、UE115または基地局105は、図2〜図4を参照して上述したように、制御チャネル上で、CBサイズインジケータまたはトーンの基準個数を送信し得る。いくつかの例では、ブロック1415の動作は、図8および図9を参照して説明したように、TBセグメンタによって実施され得る。
【０１３７】
図15は、本開示の様々な態様による、TBセグメンテーションおよびシグナリングのための方法1500を示すフローチャートを示す。方法1500の動作は、図1、図2、および図7〜図9を参照して記載した、UE115もしくは基地局105(たとえば、図2を参照して記載した送信デバイス260を含む)、またはワイヤレスデバイス700、ワイヤレスデバイス800、TBセグメンテーションマネージャ900、もしくはそれらの構成要素などのデバイスによって実装され得る。たとえば、方法1500の動作は、本明細書で説明するように、TBセグメンテーションマネージャによって実施され得る。いくつかの例では、UE115または基地局105は、以下で説明する機能を実施するようにデバイスの機能要素を制御するためのコードのセットを実行することができる。追加または代替として、UE115または基地局105は、専用ハードウェアを使用して、以下で説明される機能態様を実施し得る。
【０１３８】
ブロック1505において、UE115または基地局105は、図2〜図4を参照して上述したように、TBのオーバーヘッドチャネル用のトーンの基準個数を識別し得る。いくつかの例では、ブロック1505の動作は、図8および図9を参照して説明したように、基準トーンマネージャによって実施され得る。
【０１３９】
ブロック1510において、UE115または基地局105は、図2〜図4を参照して上述したように、オーバーヘッドチャネル用のトーンの基準個数に基づいて、TBをCBにセグメンテーションし得る。いくつかの例では、ブロック1510の動作は、図8および図9を参照して説明したように、TBセグメンタによって実施され得る。
【０１４０】
ブロック1515において、UE115または基地局105は、図2〜図4を参照して上述したように、オーバーヘッドチャネルに関連付けられたトーンの実際の数を決定することができ、TBをCBにセグメンテーションすることは、トーンの実際の数にさらに基づく。いくつかの例では、ブロック1515の動作は、図8および図9を参照して説明したように、オーバーヘッドチャネルリソースマネージャによって実施され得る。
【０１４１】
図16は、本開示の様々な態様による、インターリービングおよびデインターリービングをサポートするワイヤレスデバイス1600のブロック図を示す。ワイヤレスデバイス1600は、図2を参照して記載した受信デバイス250および送信デバイス260を含む、図1、図2、および図7を参照して記載したワイヤレスデバイス700またはUE115もしくは基地局105の態様の例であり得る。ワイヤレスデバイス1600は、受信機1605、TBセグメンテーションマネージャ1630、および送信機1635を含み得る。ワイヤレスデバイス1600は、プロセッサおよびメモリも含み得る。これらの構成要素の各々は、互いと通信していることがある。
【０１４２】
受信機1605は、デバイスの他の構成要素に渡され得る情報を受信し得る。受信機1605は、図7の受信機705を参照して記載した機能を実施することもできる。受信機1605は、図10を参照して説明したトランシーバ1025の態様の例であり得る。
【０１４３】
TBセグメンテーションマネージャ1630は、図7を参照して説明したTBセグメンテーションマネージャ715の態様の例であり得る。TBセグメンテーションマネージャ1630は、TB通信マネージャ1610、TBセグメンタ1615、インターリーバ1620、およびデインターリーバ1625を含み得る。TBセグメンテーションマネージャ1630は、図10を参照して説明したTBセグメンテーションマネージャ1005の態様の例であり得る。
【０１４４】
TB通信マネージャ1610は、TBのCBに関連付けられたCBサイズインジケータを受信し、制御チャネルを使用してCBサイズインジケータを受信し、制御チャネルを使用してトーンの基準個数を受信し得る。いくつかのケースでは、CBサイズインジケータは、TBのオーバーヘッドチャネルに関連付けられたトーンの基準個数に少なくとも部分的に基づく。いくつかのケースでは、トーンの基準個数は、TBのデータ領域中の制御チャネル、同期チャネル、またはCSI-RSのうちの1つまたは複数に少なくとも部分的に基づく。いくつかのケースでは、トーンの基準個数は、オーバーヘッドチャネルに関連付けられたトーンの最大数、トーンの最小数、またはトーンのメジアン数のうちの1つまたは複数に少なくとも部分的に基づく。いくつかのケースでは、CBサイズインジケータは、TBに関連付けられたオーバーヘッドチャネル用のトーンの実際の数に少なくとも部分的に基づく。いくつかの例では、トーンの基準個数は通信リンク方向に少なくとも部分的に基づいてよく、通信リンク方向は、アップリンク、ダウンリンク、またはサイドリンクであり得る。
【０１４５】
TBセグメンタ1615は、オーバーヘッドチャネル用のトーンの基準個数に少なくとも部分的に基づいてセグメンテーションされたTBの複数のCBを識別することができる。
【０１４６】
インターリーバ1620は、1つまたは複数のCBのトーンをインターリーブすることができ、図5Aおよび図5Bを参照して記載したインターリービングプロセスなどのインターリービングプロセスを実施することができる。インターリービングプロセスは、各シンボルに対して実施され得る。いくつかの例では、RCインターリーバプロセスが、1つまたは複数のCBに関連付けられたトーンを、シンボル内のリソースにインターリーブするのに使用され得る。所与のシンボル中に存在する可能オーバーヘッドトーンまたはオーバーヘッドチャネル用のトーンの基準個数に基づいて、ビットがインターリーブされ得る。たとえば、1つまたは複数のCBに関連付けられたトーンは、1つまたは複数のCBに関連付けられたトーンのみがインターリーブされ、オーバーヘッドトーンがインターリーブされないように、可能オーバーヘッドトーン付近でインターリーブされ得る。いくつかの例では、インターリービングプロセスは、1つまたは複数のCBに関連付けられたトーンを、利用可能RBにマップするのに先立って実施されてよく、他の要因の中でも、利用可能リソース、MCS、およびオーバーヘッドトーンの数に少なくとも部分的に基づき得る。様々な例において、いくつかのCB用のビットは、再送信と比較すると、初期送信中で異なるシンボルロケーションを有する。いくつかの例では、インターリーバ1620は、トーンバンドルサイズおよび複数のCBに関連付けられたCBサイズに少なくとも部分的に基づいてインターリーバ行列を決定することができる。インターリーバ1620は、インターリーバ行列に従って複数のCBをインターリーブすることができる。
【０１４７】
デインターリーバ1625は、1つまたは複数のCBのトーンをデインターリーブすることができ、図6Aおよび図6Bを参照して記載したデインターリービングプロセスなどのデインターリービングプロセスを実施することができる。デインターリービングプロセスは、TBの1つまたは複数のCBを取得し、復号するために実施され得る。いくつかの例では、(たとえば、図6Bに示すような)デインターリーバ行列650が、CBサイズインジケータに基づいて算出され得る。デインターリーバは、デインターリーバ行列に従って1つまたは複数のCBのトーンをデインターリーブすることができる。
【０１４８】
送信機1635は、ワイヤレスデバイス1600の他の構成要素から受信された信号を送信し得る。いくつかの例では、送信機1635は、トランシーバモジュール中で受信機とコロケートされ得る。たとえば、送信機1635は、図10を参照して説明したトランシーバ1025の態様の例であり得る。送信機1635は、単一のアンテナを利用し得るか、または複数のアンテナを利用し得る。
【０１４９】
図17は、本開示の様々な態様による、インターリービングのための方法1700を示すフローチャートを示す。方法1700の動作は、図1、図2、ならびに図7および図16を参照して記載した、UE115もしくは基地局105(たとえば、図2を参照して記載した送信デバイス260を含む)、またはワイヤレスデバイス700、ワイヤレスデバイス1600、もしくはそれらの構成要素などのデバイスによって実装され得る。たとえば、方法1700の動作は、本明細書で説明するように、TBセグメンテーションマネージャによって実施され得る。いくつかの例では、ワイヤレスデバイス700、UE115、または基地局105は、以下で説明する機能を実施するようにデバイスの機能要素を制御するためのコードのセットを実行することができる。追加または代替として、UE115または基地局105は、専用ハードウェアを使用して、以下で説明される機能態様を実施し得る。
【０１５０】
ブロック1705において、UE115または基地局105は、図2〜図6、図7〜図9、および図16を参照して上述したように、オーバーヘッドチャネル用のトーンの基準個数に少なくとも部分的に基づいて、セグメンテーションされたTBの複数のCBを識別し得る。いくつかの例では、ブロック1705の動作は、図16を参照して説明したようにTBセグメンタによって実施され得る。
【０１５１】
ブロック1710において、UE115または基地局105は、図2〜図6、図7〜図9、および図16を参照して上述したように、トーンバンドルサイズおよび複数のCBに関連付けられたCBサイズに少なくとも部分的に基づいて、インターリーバ行列を決定し得る。いくつかの例では、ブロック1710の動作は、図16を参照して説明したようにインターリーバによって実施され得る。
【０１５２】
ブロック1715において、UE115または基地局105は、図2〜図6、図7〜図9、および図16を参照して上述したように、インターリーバ行列に従って複数のCBをインターリーブし得る。いくつかの例では、ブロック1715の動作は、図16を参照して説明したようにインターリーバによって実施され得る。
【０１５３】
図18は、本開示の様々な態様による、デインターリービングのための方法1800を示すフローチャートを示す。方法1800の動作は、図1、図2、ならびに図7および図16を参照して記載した、UE115もしくは基地局105(たとえば、図2を参照して記載した受信デバイス250を含む)、またはワイヤレスデバイス700、ワイヤレスデバイス1600、もしくはそれらの構成要素などのデバイスによって実装され得る。たとえば、方法1800の動作は、本明細書で説明するように、TBセグメンテーションマネージャによって実施され得る。いくつかの例では、ワイヤレスデバイス700、UE115、または基地局105は、以下で説明する機能を実施するようにデバイスの機能要素を制御するためのコードのセットを実行することができる。追加または代替として、UE115または基地局105は、専用ハードウェアを使用して、以下で説明される機能態様を実施し得る。
【０１５４】
ブロック1805において、UE115または基地局105は、図2〜図6、図7〜図9、および図16を参照して上述したように、CBに関連付けられたCBサイズインジケータを受信し得る。いくつかの例では、ブロック1805の動作は、図16を参照して説明したようにTB通信マネージャによって実施され得る。
【０１５５】
ブロック1810において、UE115または基地局105は、図2〜図6、図7〜図9および図16を参照して上述したように、CBサイズインジケータに少なくとも部分的に基づいて、デインターリーバ行列を決定し得る。いくつかの例では、ブロック1810の動作は、図16を参照して説明したようにデインターリーバによって実施され得る。
【０１５６】
ブロック1815において、UE115または基地局105は、図2〜図6、図7〜図9、および図16を参照して上述したように、デインターリーバ行列に従って、CBをデインターリーブし得る。いくつかの例では、ブロック1815の動作は、図16を参照して説明したようにデインターリーバによって実施され得る。これらの方法は、可能な実装形態について説明しており、動作およびステップは、他の実装形態が可能であるように並べ替えられ、またはさもなければ修正され得ることに留意されたい。いくつかの例では、方法のうちの2つ以上からの態様が組み合わされてよい。たとえば、方法の各々の態様は、他の方法のステップもしくは態様、または本明細書で説明する他のステップもしくは技法を含み得る。このようにして、本開示の態様は、TBセグメンテーションおよびシグナリングを可能にし得る。
【０１５７】
上記で説明した方法は、可能な実装形態について説明しており、動作およびステップは、他の実装形態が可能であるように並べ替えられ、またはさもなければ修正され得ることに留意されたい。さらに、方法のうちの2つ以上からの態様が組み合わされてよい。
【０１５８】
本明細書で説明する技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。「システム」および「ネットワーク」という用語は、しばしば互換的に使用される。符号分割多元接続(CDMA)システムは、CDMA2000、ユニバーサル地上波無線アクセス(UTRA)などの無線技術を実装し得る。CDMA2000は、IS-2000規格、IS-95規格、およびIS-856規格を対象とする。IS-2000リリースは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。時分割多元接続(TDMA)システムは、モバイル通信用グローバルシステム(GSM(登録商標))などの無線技術を実装し得る。
【０１５９】
直交周波数分割多元接続(OFDMA)システムは、ウルトラモバイルブロードバンド(UMB)、進化型UTRA(E-UTRA)、IEEE802.11(Wi-Fi)、IEEE802.16(WiMAX)、IEEE802.20、Flash-OFDMなどの無線技術を実装し得る。UTRAおよびE-UTRAはユニバーサルモバイルテレコミュニケーションシステム(UMTS)の一部である。LTEおよびLTE-Aは、E-UTRAを使用するユニバーサルモバイルテレコミュニケーションズシステム(UMTS)の新しいリリースである。UTRA、E-UTRA、UMTS、LTE、LTE-A、およびモバイル通信用グローバルシステム(GSM(登録商標))は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のシステムおよび無線技術、ならびに他のシステムおよび無線技術に使用され得る。LTEシステムの態様が例として説明されている場合があり、説明の大部分においてLTE用語が使用されている場合があるが、本明細書で説明する技法は、LTE適用例以外に適用可能である。
【０１６０】
本明細書で説明するそのようなネットワークを含むLTE/LTE-Aネットワークでは、eNBという用語は、概して、基地局を表すために使用され得る。本明細書で説明する単一または複数のワイヤレス通信システムは、異なるタイプのeNBが様々な地理的領域にカバレージを与える、異種LTE/LTE-Aネットワークを含み得る。たとえば、各eNBまたは基地局は、マクロセル、スモールセル、または他のタイプのセルに通信カバレージを提供し得る。「セル」という用語は、文脈に応じて、基地局に関連するキャリアもしくはコンポーネントキャリア、またはキャリアもしくは基地局のカバレージエリア(たとえば、セクタなど)を表すために使用することができる3GPP用語である。
【０１６１】
基地局は、基地トランシーバ局、無線基地局、アクセスポイント、無線トランシーバ、ノードB、eノードB(eNB)、ホームノードB、ホームeノードB、または何らかの他の適切な用語を含み得るか、またはそのように当業者によって呼ばれることがある。基地局のための地理的カバレージエリアは、カバレージエリアの一部分のみを構成するセクタに分割され得る。本明細書で説明する単一または複数のワイヤレス通信システムは、異なるタイプの基地局(たとえば、マクロセル基地局またはスモールセル基地局)を含み得る。本明細書で説明するUEは、マクロeNB、スモールセルeNB、リレー基地局などを含む、様々なタイプの基地局およびネットワーク機器と通信することが可能であり得る。異なる技術のための重複する地理的カバレージエリアがあり得る。
【０１６２】
マクロセルは、一般に、比較的大きい地理的エリア(たとえば、半径数キロメートル)をカバーし、サービスに加入しているUEによるネットワークプロバイダとの無制限アクセスを可能にし得る。スモールセルは、マクロセルと比較すると、マクロセルと同じまたはマクロセルとは異なる(たとえば、認可、無認可などの)周波数帯域で動作する場合がある低電力基地局である。スモールセルは、様々な例に従って、ピコセル、フェムトセル、およびマイクロセルを含むことができる。ピコセルは、たとえば、小さい地理的エリアをカバーし得、ネットワークプロバイダのサービスに加入しているUEによる無制限アクセスを可能にし得る。フェムトセルは、小さい地理的エリア(たとえば、自宅)をカバーすることができ、フェムトセルとの関連付けを有するUE(たとえば、限定加入者グループ(CSG)内のUE、自宅内のユーザ用のUEなど)による制限付きアクセスを提供することができる。マクロセル用のeNBは、マクロeNBと呼ばれる場合がある。スモールセル用のeNBは、スモールセルeNB、ピコeNB、フェムトeNB、またはホームeNBと呼ばれる場合がある。eNBは、1つまたは複数(たとえば、2つ、3つ、4つなど)のセル(たとえば、コンポーネントキャリア)をサポートすることができる。UEは、マクロeNB、スモールセルeNB、リレー基地局などを含む、様々なタイプの基地局およびネットワーク機器と通信することが可能であり得る。
【０１６３】
本明細書で説明する1つまたは複数のワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は、異なるフレームタイミングを有し得、異なる基地局からの送信は、時間的に整合されない場合がある。本明細書で説明する技法は、同期動作または非同期動作のいずれかにも使用され得る。
【０１６４】
本明細書で説明するダウンリンク送信は、順方向リンク送信と呼ばれることもあり、アップリンク送信は、逆方向リンク送信と呼ばれることもある。たとえば、図1のワイヤレス通信システム100を含む、本明細書で説明する各通信リンクは、1つまたは複数のキャリアを含み得、各キャリアは、複数のサブキャリア(たとえば、異なる周波数の波形信号)で構成される信号であり得る。
【０１６５】
添付の図面に関して本明細書に記載した説明は、例示的な構成を表すものであり、実装される場合があるかまたは特許請求の範囲内にあるすべての例を表すものではない。本明細書で使用する「例示的」という用語は、「例、事例、または例示として役立つ」ことを意味し、「好ましい」または「他の例よりも有利な」を意味するものではない。詳細な説明は、説明した技法を理解することを目的とした具体的な詳細を含む。しかしながら、これらの技法は、これらの具体的な詳細を伴うことなく実践されることがある。いくつかの事例では、説明した例の概念を不明瞭にすることを回避するために、よく知られている構造とデバイスとをブロック図の形式で示す。
【０１６６】
添付の図面において、類似の構成要素または特徴は、同じ参照符号を有する場合がある。さらに、同じ種類の様々な構成要素は、類似の構成要素を区別するダッシュおよび第2の符号を参照符号に続けることによって区別される場合がある。第1の参照符号のみが本明細書で使用される場合、説明は、第2の参照符号にかかわらず、同じ第1の参照符号を有する同様の構成要素のうちのいずれにも適用可能である。
【０１６７】
本明細書で説明する情報および信号は、様々な異なる技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１６８】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実施するように設計されたそれらの任意の組合せを用いて実装または実施され得る。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、デジタル信号プロセッサ(DSP)とマイクロプロセッサとの組合せ、複数のマイクロプロセッサ、DSPコアと連携する1つもしくは複数のマイクロプロセッサ、または任意の他のそのような構成)として実装され得る。
【０１６９】
本明細書で説明する機能は、ハードウェア、プロセッサによって実行されるソフトウェア、ファームウェア、またはそれらの組合せで実装され得る。プロセッサによって実行されるソフトウェアで実装される場合、機能は、1つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲内を含む本明細書で使用する場合、項目のリスト(たとえば、「〜のうちの少なくとも1つ」または「〜のうちの1つまたは複数」などのフレーズによって前置きされた項目のリスト)において使用されるような「または」は、たとえば、A、B、またはCのうちの少なくとも1つ、のリストがAまたはBまたはCまたはABまたはACまたはBCまたはABC(すなわち、AおよびBおよびC)を意味するように、包括的リストを示す。
【０１７０】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を担持もしくは記憶するために使用することができ、汎用コンピュータもしくは専用コンピュータまたは汎用プロセッサもしくは専用プロセッサによってアクセスすることができる任意の他の非一時的媒体を含むことができる。さらに、任意の接続をコンピュータ可読媒体と呼ぶことは適正である。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書では、ディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１７１】
本明細書における説明は、当業者が本開示を作成または使用することを可能にするために与えられる。本開示への様々な変更は当業者には容易に明らかとなり、本明細書で定義された一般原理は、本開示の範囲から逸脱することなく他の変形形態に適用され得る。したがって、本開示は、本明細書で説明する例および設計に限定されるのではなく、本明細書で開示する原理および新規の特徴と一致する最も広い範囲を与えられるべきである。
【符号の説明】
【０１７２】
100  ワイヤレス通信システム
105  基地局、eノードB(eNB)
110  地理的カバレージエリア
115  UE
125  通信リンク
130  コアネットワーク
132  バックホールリンク
134  バックホールリンク
250  受信デバイス
260  送信デバイス
700  ワイヤレスデバイス
705  受信機
710  送信機
715  TBセグメンテーションマネージャ
800  ワイヤレスデバイス
805  受信機
810  TBセグメンテーションマネージャ
815  TB通信マネージャ
820  基準トーンマネージャ
825  TBセグメンタ
830  CBデコーダ
835  TBアセンブラ
840  送信機
900  TBセグメンテーションマネージャ
905  TB通信マネージャ
910  基準トーンマネージャ
915  TBセグメンタ
920  オーバーヘッドチャネルリソースマネージャ
925  ビット算出器
930  CBデコーダ
935  TBアセンブラ
940  インターリーバ
945  デインターリーバ
1000  システム
1005  TBセグメンテーションマネージャ
1010  メモリ
1015  ソフトウェア
1020  プロセッサ
1025  トランシーバ
1030  アンテナ
1035  追加モジュール
1050  デバイス
1055  デバイス
1100  ワイヤレスシステム
1105  TBセグメンテーションマネージャ
1110  メモリ
1115  ソフトウェア
1120  プロセッサ
1125  トランシーバ
1130  アンテナ
1135  基地局通信モジュール
1140  ネットワーク通信モジュール
1150  デバイス
1155  UE
1160  UE
1165  基地局
1170  基地局
1175  コアネットワーク
1600  ワイヤレスデバイス
1605  受信機
1610  TB通信マネージャ
1615  TBセグメンタ
1620  インターリーバ
1625  デインターリーバ
1630  TBセグメンテーションマネージャ
1635  送信機
【図１】
2020039149.tif 000013
【図２】
2020039149.tif 000014
【図３Ａ】
2020039149.tif 000015
【図３Ｂ】
2020039149.tif 000016
【図４】
2020039149.tif 000017
【図５Ａ】
2020039149.tif 000018
【図５Ｂ】
2020039149.tif 000019
【図６Ａ】
2020039149.tif 000020
【図６Ｂ】
2020039149.tif 000021
【図７】
2020039149.tif 000022
【図８】
2020039149.tif 000023
【図９】
2020039149.tif 000024
【図１０】
2020039149.tif 000025
【図１１】
2020039149.tif 000026
【図１２】
2020039149.tif 000027
【図１３】
2020039149.tif 000028
【図１４】
2020039149.tif 000029
【図１５】
2020039149.tif 000030
【図１６】
2020039149.tif 000031
【図１７】
2020039149.tif 000032
【図１８】
2020039149.tif 000033
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
トランスポートブロックのオーバーヘッドチャネル用のトーンの基準個数を識別するステップであって、前記オーバーヘッドチャネル用の前記トーンは、前記トランスポートブロックを送信するために使用されるデータ領域中にある、ステップと、
前記オーバーヘッドチャネル用の前記トーンの基準個数に少なくとも部分的に基づいて、前記トランスポートブロックを1つまたは複数のコードブロックにセグメンテーションするステップとを含む、方法。
【請求項２】
制御チャネル上で、コードブロックサイズインジケータまたは前記トーンの基準個数を送信するステップをさらに含む、請求項1に記載の方法。
【請求項３】
前記オーバーヘッドチャネルに関連付けられたトーンの実際の数を決定するステップをさらに含み、前記トランスポートブロックを前記1つまたは複数のコードブロックにセグメンテーションするステップは、前記トーンの実際の数にさらに少なくとも部分的に基づく、請求項1に記載の方法。
【請求項４】
前記オーバーヘッドチャネル用の前記トーンの基準個数を識別するステップは、前記オーバーヘッドチャネルに関連付けられた通信リンク方向に少なくとも部分的に基づき、前記通信リンク方向は、アップリンク、ダウンリンク、またはサイドリンクを含む、請求項1に記載の方法。
【請求項５】
前記オーバーヘッドチャネル用の前記トーンの基準個数は、前記トランスポートブロックのデータ領域中の制御チャネル、同期チャネル、チャネル状態情報基準信号(CSI-RS)、前記オーバーヘッドチャネルに関連付けられたトーンの最大数、前記オーバーヘッドチャネルに関連付けられたトーンの最小数、または前記オーバーヘッドチャネルに関連付けられたトーンのメジアン数のうちの1つまたは複数に少なくとも部分的に基づく、請求項1に記載の方法。
【請求項６】
前記トランスポートブロックに関連付けられたコードブロックの数および前記コードブロック用の情報ビットの第2の数に少なくとも部分的に基づいて、前記トランスポートブロック用の情報ビットの第1の数を決定するステップをさらに含む、請求項1に記載の方法。
【請求項７】
コードブロックサイズおよびコードレートに少なくとも部分的に基づいて、前記コードブロック用の前記情報ビットの第2の数を決定するステップをさらに含む、請求項6に記載の方法。
【請求項８】
前記トランスポートブロック用に割り振られたリソースブロックの数および前記オーバーヘッドチャネル用の前記トーンの基準個数に少なくとも部分的に基づいて、前記トランスポートブロックに関連付けられた前記コードブロックの数を決定するステップをさらに含む、請求項6に記載の方法。
【請求項９】
前記オーバーヘッドチャネルに関連付けられたトーンの実際の数に少なくとも部分的に基づいて、前記トランスポートブロック用のパッドビットの数を決定するステップをさらに含む、請求項1に記載の方法。
【請求項１０】
前記オーバーヘッドチャネルに関連付けられたトーンの実際の数に少なくとも部分的に基づいて、前記1つまたは複数のコードブロック用のパンクチャリングされるビットの数を決定するステップをさらに含む、請求項1に記載の方法。
【請求項１１】
前記1つまたは複数のコードブロックに関連付けられた複数のトーンバンドルを識別するステップと、
前記1つまたは複数のコードブロック用の前記パンクチャリングされるビットの数に少なくとも部分的に基づいて、インターリーバ行列を決定するステップと、
前記インターリーバ行列に従って、前記複数のトーンバンドルをインターリーブするステップとをさらに含む、請求項10に記載の方法。
【請求項１２】
前記オーバーヘッドチャネル用の前記トーンの基準個数に少なくとも部分的に基づいて、インターリーバ行列を決定するステップと、
前記インターリーバ行列に従って、前記コードブロックの複数のトーンをインターリーブするステップとをさらに含む、請求項1に記載の方法。
【請求項１３】
前記複数のトーンをインターリーブするステップは、
第1の順序に従って、前記複数のトーンを前記インターリーバ行列の要素に書き込むステップと、
第2の順序に従って、前記インターリーバ行列の前記要素を読み取るステップとを含む、請求項12に記載の方法。
【請求項１４】
ワイヤレス通信のための装置であって、
プロセッサと、
前記プロセッサに結合されたメモリとを備え、前記プロセッサは、
トランスポートブロックのオーバーヘッドチャネル用のトーンの基準個数を識別することであって、前記オーバーヘッドチャネル用の前記トーンは、前記トランスポートブロックを送信するために使用されるデータ領域中にある、ことと、
前記オーバーヘッドチャネル用の前記トーンの基準個数に少なくとも部分的に基づいて、前記トランスポートブロックを1つまたは複数のコードブロックにセグメンテーションすることとをするように構成される、装置。
【請求項１５】
i)前記プロセッサは、
制御チャネル上で、コードブロックサイズインジケータまたは前記トーンの基準個数を送信するように構成される、
ii)前記プロセッサは、
前記オーバーヘッドチャネルに関連付けられたトーンの実際の数を決定するように構成され、前記トランスポートブロックを前記1つまたは複数のコードブロックにセグメンテーションすることは、前記トーンの実際の数にさらに少なくとも部分的に基づく、
iii)前記オーバーヘッドチャネル用の前記トーンの基準個数は、前記トランスポートブロックのデータ領域中の制御チャネル、同期チャネル、チャネル状態情報基準信号(CSI-RS)、前記オーバーヘッドチャネルに関連付けられたトーンの最大数、前記オーバーヘッドチャネルに関連付けられたトーンの最小数、または前記オーバーヘッドチャネルに関連付けられたトーンのメジアン数のうちの1つまたは複数に少なくとも部分的に基づく、
iv)前記プロセッサは、
前記トランスポートブロックに関連付けられたコードブロックの数および前記コードブロック用の情報ビットの第2の数に少なくとも部分的に基づいて、前記トランスポートブロック用の情報ビットの第1の数を決定するように構成される、
v)前記プロセッサは、
前記オーバーヘッドチャネルに関連付けられたトーンの実際の数に少なくとも部分的に基づいて、前記トランスポートブロック用のパッドビットの数または前記コードブロック用のパンクチャリングされるビットの数を決定するように構成される、または、
vi)前記プロセッサは、
前記オーバーヘッドチャネル用の前記トーンの基準個数に少なくとも部分的に基づいて、インターリーバ行列を決定することと、
前記インターリーバ行列に従って、前記コードブロックの複数のトーンをインターリーブすることとをするように構成される、
のうちの1つを含む、請求項14に記載の装置。
【外国語明細書】
2020039149000001.pdf